(57)【要約】【課題】快適な在宅看護を看護人の精神的、肉体的な負担を軽減し、被看護人も横臥した状態で操作ができるプッシュホン電話機による遠隔看護方式を提供する。【解決手段】屋外電話機から電話交換機を介して屋内電話機と、屋内電話機の可聴周波を処理するプッシュホン信号変換回路と、変換された信号を制御するプッシュホン制御回路と、その制御で発信する無線発信器と発信信号で動作する無線起動ユニットとを具備する。【選択図】              図１
2004159013.tif 000002
【特許請求の範囲】
【請求項１】
屋外電話機から電話交換機を介して屋内電話機と、上記屋内電話機の可聴周波を処理するプッシュホン信号変換回路と、変換された信号を制御するプッシュホン制御回路と、その制御で発信する無線発信器と発信信号で動作する無線起動ユニットと、を具備することを特徴とするプッシュホン式遠隔看護方式。
【請求項２】
屋外電話機は可聴周波を発信するプッシュホンのボタンによって、屋内電話機を呼び出し、更にプッシュホンのボタンによって無線起動ユニットの負荷機器を起動選択をすることを特徴とする請求項１記載のプッシュホン式遠隔看護方式。
【請求項３】
上記プッシュホン信号変換回路は発信周波数４周波を１郡とする二つの群のうちの２周波の組合せでボタン信号に変換することを特徴とする請求項１記載のプッシュホン式遠隔看護方式。
【請求項４】
上記プッシュホン信号変換回路でボタン信号が１６種の信号に決められことを特徴とするプッシュホン式遠隔看護方式。
【請求項５】
上記プッシュホン信号変換回路によって決められた１６種の信号をプッシュホン制御回路によって無線発信器から発信する周波数帯に割り当てられることを特徴とするプッシュホン式遠隔看護方式。
【請求項６】
上記無線発信器から発信される信号は無線起動ユニットによって受信される、無線起動ユニットは予め決められた１個の周波数帯にだけ反応することを特徴とするプッシュホン式遠隔看護方式。
【請求項７】
上記無線起動ユニットは負荷機器（負荷機器とは電動窓、電動カーテン、クーラー、扇風機、電気ヒータ、換気ファン、テレビ、電動寝台，警報灯等を言う）を起動するリレー回路を内蔵することを特徴とするプッシュホン式遠隔看護方式。
【請求項８】
屋内電話機子機のプッシュボタンによって屋内電話親機を介して直接プシュホン変換回路のボタン信号を選択し、同上プッシュホン制御回路と同上無線発信器と同上無線起動ユニットを経て、それぞれの負荷機器の起動停止を操作することを特徴とするプッシュホン式遠隔看護方式。
【発明の詳細な説明】
【０００１】
【発明の属する技術分野】
この発明は、プッシュ式遠隔看護方式に関し、詳しくは屋外から、または横臥した状態から室内の電動機器を操作することができるようにしたプッシュ式遠隔看護方式に関する。
【０００２】
【従来の技術】
高齢者の増加に伴って在宅看護や老人看護施設で看護が行われ、国も看護費用を負担している。
【０００３】
【発明が解決しようとする課題】
しかし、国の費用負担は限界があり、家族による看護があくまでも主で、快適な在宅看護は看護人の献身的な努力によって報われている現状は、看護人の精神的、肉体的な負担を強いている。また高齢者は老人看護施設に入居するより、住み慣れた自宅での看護を望んでいるが、前記の看護人の負担が余りにも大きいため、やむなく専用施設に入居しているのが現状である。そこで、この発明は看護人が外出しても外出先から公衆電話や携帯電話から自宅の電話を呼び出し、予め決められた手順で電話機のボタンを押すだけで室内の電動機器を自由に操作することができるようにすることと、もう一つは被看護人が横臥した状態で携帯の電話器の子機のボタンを押すだけで室内の電動機器を自由に操作することができるようにすることを目的とする。
【０００４】
【課題を解決するための手段】
上記目的を達成するため、請求項１記載の発明は、屋外電話機から電話交換機を介して屋内電話機と、上記屋内電話機の可聴周波を処理するプッシュホン信号変換回路と、変換された信号を制御するプッシュホン制御回路と、その制御で発信する無線発信器と発信信号で動作する無線起動ユニットと、を具備することを特徴とする。
また、請求項２記載の発明は、屋外電話機は可聴周波を発信するプッシュホンのボタンによって、屋内電話機を呼び出し、更にプッシュホンのボタンによって無線起動ユニットの負荷機器を起動選択することを特徴とする。
また、請求項３の発明は、上記プッシュホン信号変換回路は発信周波数４周波を１郡とする二つの群のうちの２周波の組合せでボタン信号に変換することを特徴とする。
また、請求項４の発明は、上記プッシュホン信号変換回路でボタン信号が１６種の信号に決められことを特徴とする。
また、請求項５の発明は、上記プッシュホン信号変換回路によって決められた１６種の信号をプッシュホン制御回路によって無線発信器から発信する周波数帯に割り当てられることを特徴とする。
また、請求項６の発明は、上記無線発信器から発信される信号は無線起動ユニットによって受信される、無線起動ユニットは予め決められた１個の周波数帯にだけ反応することを特徴とする。
また、請求項７の発明は、上記無線起動ユニットは負荷機器（負荷機器とは電動窓、電動カーテン、クーラー、扇風機、電気ヒータ、換気ファン、テレビ、電動寝台，警報灯等を言う）を起動するリレー回路を内蔵することを特徴とする。
また、請求項８の発明は、屋内電話機子機のプッシュボタンによって屋内電話親機を介して直接プシュホン変換回路のボタン信号を選択し、同上プッシュホン制御回路と同上無線発信器と同上無線起動ユニットを経て、それぞれの負荷機器の起動停止を操作することを特徴とする。
【０００５】
【発明の実施形態】
以下、この発明に係わるプッシュホン式遠隔看護方式の実施の形態を添付図面を参照して詳細に説明する。
図１は、この発明に係わるプッシュホン式遠隔看護方式の実施の形態をしめすイメージ図である。
また、図２は、図１に示したプッシュホン式遠隔看護方式の構成ブロック図である。
図１および図２において、このプッシュホン式遠隔看護方式は、屋外電話機８から電話交換機７を介して屋内電話親機１と、上記屋内電話親機１の可聴周波を処理するプッシュホン信号変換回路３と、変換された信号を制御するプッシュホン制御回路４と、その制御で発信する無線発信器５と発信信号で動作する無線起動ユニット６とが設けられている。
また、屋外電話機８は可聴周波を発信するプッシュホンのボタンによって、屋内電話親機１を呼び出し、更にプッシュホンのボタンによって無線起動ユニット６の負荷機器を起動選択する構成になっている。
また、プッシュホン信号変換回路３は発信周波数４周波を１郡とする二つの群のうちの２周波の組合せでボタン信号に変換する構成になっている。
また、プッシュホン信号変換回路３でボタン信号が１６種の信号に決められる構成になっている。
また、プッシュホン信号変換回路３によって決められた１６種の信号をプッシュホン制御回路４によって無線発信器５から発信する周波数帯に割り当てられる構成になっている。
また、無線発信器５から発信される信号は無線起動ユニット６によって受信される、無線起動ユニットは予め決められた１個の周波数帯にだけ反応する構成になっている。
また、無線起動ユニット６は負荷機器（負荷機器とは電動窓１６、電動カーテン９、クーラー１０、扇風機１１、電気ヒータ１２、換気ファン１３、テレビ１４、電動寝台１５，警報灯１７等を言う）を起動するリレー回路が設けられている。
例えば、無線起動ユニットのリレー回路は、各負荷機器は交流のＡＣ１００Ｖ電源が供給されている。このＡＶ１００電源をリレー回路によって電路を遮断したり接続したりすることができる。
また、屋内電話機子機２のプッシュボタンによって屋内電話親機１を介して直接プシュホン変換回路３のボタン信号を選択し、プッシュホン制御回路４と無線発信器５無線起動ユニット６を経て、それぞれの負荷機器の起動停止を操作する構成になっている。
例えば、被看護人が横臥した状態（図１がそのイメージを表している）で屋内電話子機２を手で持ち、予め決められたダイヤル番号を押すとクーラー１０が起動したり停止したりすることができる。他の負荷機器においても同様の操作が可能である。特に警報灯１７においては被看護人の病状が緊急で周辺に状況を知らせたいときなどに使用できる。
また被看護人が自分で屋内電話子機２を操作できないような状態のときは、看護人がたとえ外出していても外出先の公衆電話や携帯電話の屋外電話機６を使って、予め決められたダイヤル番号を押すとクーラー１０を起動したり停止したりすることができる。他の負荷機器においても同様の操作が可能である。
負荷機器は最大１６台まで標準で接続できるが、プッシュホン信号をパルス発信に変換すれば接続台数を増やすことが可能である。
【０００６】
【実施例】
【０００７】
【発明の効果】
以上説明したようにこの発明のプッシュホン式遠隔看護方式によれば、屋外電話機から電話交換機を介して屋内電話機と、上記屋内電話機の可聴周波を処理するプッシュホン信号変換回路と、変換された信号を制御するプッシュホン制御回路と、その制御で発信する無線発信器と発信信号で動作する無線起動ユニットと、を具備して構成したので、負荷機器（負荷機器とは電動窓、電動カーテン、クーラー、扇風機、電気ヒータ、換気ファン、テレビ、電動寝台，警報灯等を言う）を屋外電話機からと屋内電話子機から操作することができるという効果を奏する。
【図面の簡単な説明】
【図１】この発明に係わるプッシュホン式遠隔看護方式の実施の形態を示すイメージ図である。
【図２】図２は図１に示したプッシュホン式遠隔看護方式の構成ブロック図である。
【符号の説明】
１屋内電話親機
２屋内電話子機
３プッシュホン信号変換回路
４プッシュホン制御回路
５無線発信器
６無線起動ユニット
７電話交換機
８屋外電話機
９電動カーテン
１０クーラー
１１扇風機
１２電気ヒータ
１３換気ファン
１４テレビ
１５電動寝台
１６電動窓
１７警報灯
【図１】
2004159013.tif 000003
【図２】
2004159013.tif 000004